【手続補正書】
【提出日】平成17年3月18日(2005.3.18)
【手続補正１】
【補正対象書類名】特許請求の範囲
【補正対象項目名】全文
【補正方法】変更
【補正の内容】
【特許請求の範囲】
【請求項１】
ヒンジ留め蓋（５）を有する少なくとも一つの硬質小包（２）を具備し、該小包（２）は、底端面（４）を有するコンテナ（３）と、頂端面（６）を有する蓋（５）とを含んでなり、該蓋（５）が、コンテナ（３）にヒンジ留めされ従って前記小包（２）が開いている位置と、前記コンテナ（３）内に部分的に挿入されているフレーム（９）と相互作用する位置であって前記小包が閉じている位置との間を回転することができる煙草製品用硬質梱包体において、
前記小包（２）が少なくとも二つの主面（１４，１５）を有し、第１の面（１４）が平坦であり、第２の面がほぼ中央の平坦部（１６）及び該平坦部（１６）を前記平坦な第１の面（１４）の長手方向縁（１８）に接続する二つの湾曲面（１７）を含んでなることを特徴とする梱包体。
【請求項２】
前記平面（１６）に接続された前記二つの湾曲面（１７）が円弧を形成する請求項１に記載された梱包体。
【請求項３】
前記小包（２）の断面がほぼ半円状である請求項２に記載された梱包体。
【請求項４】
前記小包（２）の断面が丸みを帯びた等脚台形であり、切断面が前記平坦な第１の面（１４）と交差する部分によって該等脚台形の大きい方の辺が画定され、切断面が前記第２の平面（１５）の平坦部（１６）と交差する部分によって該等脚台形の小さい方の辺が画定される請求項１に記載された梱包体。
【請求項５】
前記平坦な第１の面（１４）の長手方向縁（１８）の少なくとも一つが、鋭い隅縁（２５）である請求項１から４のいずれか一つに記載された梱包体。
【請求項６】
前記平坦な第１の面（１４）の長手方向縁（１８）の少なくとも一つが、斜角にされた隅縁（２５）である請求項１から４のいずれか一つに記載された梱包体。
【請求項７】
前記平坦な第１の面（１４）の長手方向縁（１８）の少なくとも一つが、湾曲された隅縁（２８）である請求項１から４のいずれか一つに記載された梱包体。
【請求項８】
前記蓋（５）が、前記第１の主面（１４）を横切って延びるヒンジ線（７）に沿って前記コンテナ（３）にヒンジ留めされる請求項１から７のいずれか一つに記載された梱包体。
【請求項９】
前記蓋（５）が、前記第２の主面（１５）の前記中央の平坦部（１６）を横切って延びるヒンジ線（７）に沿って前記コンテナ（３）にヒンジ留めされる請求項１から７のいずれか一つに記載された梱包体。
【請求項１０】
前記第１の主面（１４）の二つの長手方向縁（１８）のうちの一方に沿って互いに連結された一対の小包（２）を具備する請求項１から９のいずれか一つに記載された梱包体。
【請求項１１】
共通軸線（３１）に沿って積み上げられ、かつ底端面（４）と頂端面（６）とが互いに接して配置され、かつ被包材料の単一シート（３２）に包まれた、複数対の小包（２）を具備した請求項１から９のいずれか一つに記載された梱包体。
【請求項１２】
単一の小包（２）がダイカット済み素材（３３）から作成され、該素材（３３）が、対応する梱包体（１）の長手軸線（１２）に平行な長手軸線（３４）を備えたほぼ長方形の輪郭を有すると共に、該軸線（３４）上に整列された中央パネル（３５）、二つの中間パネル（３６，３７）及び二つの端パネル（３８，３９）を有し、各中間パネル（３６，３７）の側部のうち、それぞれ対応する端パネル（３８，３９）に向かうほうが、ほぼ弧状の輪郭を有し、前記長手軸線（３４）を横切って配置されたそれぞれの直線状折り目線（４０，４１）によりそれぞれ対応する端パネル（３８，３９）に接続される請求項１から１１のいずれか一つに記載された梱包体。
【請求項１３】
各中間パネル（３６，３７）が、それぞれの第２の直線状折り目線（４２，４３）により前記中央パネル（３５）に接続され、これら第２の直線状折り目線（４２，４３）が、前記長手軸線（３４）を横切って配置され、前記弧状輪郭を画定する円弧を形成している二つの部分（４４）によりそれぞれ対応する第１の折り目線（４０，４１）に接続される請求項１２に記載された梱包体。
【請求項１４】
前記端パネル（３８，３９）が、前記長手軸線（３４）の両側を該長手軸線（３４）に平行に延びる、それぞれの二つの長手方向折り目線（４５）を有し、これら折り目線（４５）が組み合わさって、前記小包（２）の第２の主面（２５）により表される前記平坦な中央部（１６）に一致する内側領域と、二つの長手方向側方部分（４７）として表される外側領域であって、前記中央パネル（３５）により形成される前記平坦な第１の主面（１４）の長手方向縁（１８）と前記平坦部（１６）とを相互接続する前記湾曲部（１７）に一致する外側領域とを画定する請求項１２に記載された梱包体。
【請求項１５】
前記端パネル（３８，３９）の自由横縁（４９，５０）がほぼ弧状の輪郭を有する請求項１４に記載された梱包体。
【請求項１６】
前記中央パネル（３５）が、長手軸線（３４）を横切って延びて前記ヒンジ線（７）を形成するよう機能する折り目線（５１）を有し、該中央パネル（３５）には側方に、長手方向に配置された連結パネル（５２）が並べられ、これら連結パネル（５２）が、それぞれの予め形成された長手方向折り目線（５３）により該中央パネル（３５）に接続され、ヒンジ用折り目線（５１）の端で収斂するそれぞれの切り込み（５４）により二部分に分割される請求項１２から１５のいずれか一つに記載された梱包体。
【請求項１７】
各側方連結パネル（５２）がその両端に、対応する中間パネル（３６，３７）に係合するよう位置決めされた保持フラップ（４８；５５）を有する請求項１６に記載された梱包体。
【請求項１８】
前記中間パネル（３６，３７）により提供される各弧状部分（４４）が、対応する端パネル（３８，３９）の対応する側方部分（４７）に係合するよう位置決めされた少なくとも一つの放射状フラップ（４８，５６）を有する請求項１から１７のいずれか一つに記載された梱包体。
【請求項１９】
各端パネル（３８，３９）の側方部分（４７）及び前記中央パネル（３５）の側方に付設された前記連結パネル（５２）が、曲げやすくされ、前記弧状輪郭の曲率に適合可能である請求項１２から１８のいずれか一つに記載された梱包体。
【請求項２０】
前記弧状曲率への適合を可能にする曲げやすさが、エンボス加工（Ｇ）により得られる請求項１９に記載された梱包体。
【請求項２１】
前記弧状曲率への適合を可能にする曲げやすさが、複数の長手方向折り目線（５７）を型押ししたもの（Ｐ）により得られる請求項１９に記載された梱包体。
【請求項２２】
前記予め形成された長手方向折り目領域（５３）が、少なくとも一つの折り目線（６２）からなる請求項１６に記載された梱包体。
【請求項２３】
長手方向縁（１８）を斜角隅縁として具現するために、前記予め形成された長手方向折り目領域（５３）が、第１の予め決められた距離だけ離間された二つの互いに平行な折り目線（６３）からなる請求項１６に記載された梱包体。
【請求項２４】
長手方向縁（１８）を湾曲隅縁として具現するために、前記予め形成された長手方向折り目領域（５３）が、第２の予め決められた距離だけ離間された複数の互いに平行な折り目線（６４）からなる請求項１６に記載された梱包体。
【請求項２５】
前記フレーム（９）が、それぞれの平坦なダイカット済み素材（５８）から作成され、該素材（５８）が、端パネル（３８，３９）の中央部分（４６）に付設される中央領域（５９）と、端パネル（３８，３９）の長手方向側方部分（４７）に付設される、それぞれの二つの横帯（６０）とを有する請求項１２から２４のいずれか一つに記載された梱包体。
【請求項２６】
前記横帯（６０）が、曲げやすく形成され、前記小包用素材（３３）の中間パネル（３６，３７）の弧状部分により表される曲率に適合可能である請求項２５に記載された梱包体。
【請求項２７】
前記弧状曲率への適合を可能にする曲げやすさが、エンボス加工により得られる請求項２６に記載された梱包体。
【請求項２８】
前記弧状曲率への適合を可能にする曲げやすさが、複数の長手方向折り目線（６１）を型押ししたものにより得られる請求項２６に記載された梱包体。
【手続補正２】
【補正対象書類名】図面
【補正対象項目名】図１４
【補正方法】変更
【補正の内容】
【図１４】
2004527233.tif 000001